(57)【特許請求の範囲】
【請求項１】
吸着筒の下部の底面部から上部に向かって圧縮空気を通流させることで圧縮空気を除湿する据え置き型の吸着式除湿装置に装備される吸着筒内部に交換可能に装着されるインサートカートリッジにおいて、
該インサートカートリッジが、その下部の底面部になる下部エンドリングと、該下部エンドリング上に設けられて該インサートカートリッジの側壁になり内側に吸着材が充てんされている壁部と、該下部エンドリングに固定されていて該インサートカートリッジの上部側まで突出するシャフトと、該壁部の上部の蓋になり該シャフトを軸として下方にスライド可能なスライダーとを備えており、
該インサートカートリッジの該下部エンドリングに形成された鍔部分に、該吸着筒の筒状の外壁の下端が嵌め込まれる上向きに開口した溝が形成されていて、この溝に該下端が嵌め込まれて該下部エンドリングが該吸着筒の底面部を構成し、
該インサートカートリッジの上側に該スライダーを下側に押圧するためのスプリングが入れられて、
該吸着筒の上部の蓋となる上部エンドリングで該スプリングを縮ませながら、該上部エンドリングに形成された溝に該吸着筒の該外壁の上端を嵌め込んで、該上部エンドリングを貫通する該シャフトにナットをねじ締めすることで、該吸着筒に該インサートカートリッジが固定されることを特徴とするインサートカートリッジ。
【発明の詳細な説明】
【技術分野】
【０００１】
本発明は、圧縮空気を除湿する吸着式除湿装置における吸着筒内部に交換可能に装着されるインサートカートリッジに関するものである。
【背景技術】
【０００２】
圧縮空気を動力源とする機器には、水分による機器の錆付き・損傷防止などのために、乾燥した圧縮空気を供給する必要がある。
【０００３】
圧縮空気の除湿には、例えば、ゼオライト等の吸着材に圧縮空気を通流させて除湿する吸着式除湿装置が用いられている。従来、特許文献１に示される気体の除湿装置のように、吸着筒の内部に吸着材を充填して吸着筒の内部に圧縮空気を通流させて除湿していた。
【０００４】
しかしながら、吸着材には寿命があって交換が必要である。そのため、交換を容易にするために、吸着材を充填したインサートカートリッジを吸着筒内部に装着し、インサートカートリッジごと交換できるようにすることが行われた。
【０００５】
出願人は、従来の吸着筒をそのまま用いて、内部にインサートカートリッジを装着して吸着材の交換を容易に行える吸着式除湿装置を開発した。この吸着式除湿装置が図３に示されている。
【０００６】
図３には、全長が約１ｍで円柱状の吸着筒５０を８本備えている吸着式除湿器が示されている。吸着筒５０が１列に４本、２列に並んで装備されている。図４に示されるように、従来の吸着筒５０の内部には、インサートカートリッジ５１が装着される。この吸着筒５０では、圧縮空気が下方から上方に通流して、圧縮空気中の水分が吸着材に吸着されて除湿される。
【０００７】
インサートカートリッジ５１は、円筒形の壁部６３、その一端に嵌められて底面を構成するプラリング６０、壁部６３の上面を構成するスライダー６５、および中心部を貫通して上下に突出するシャフト５８を備え、内部に吸着材６４が充填されている。
【０００８】
プラリング６０には、その端部の外周に環状のシール部材６１が取り付けられている。このシール部材６１は、プラリング６０と嵌め合わされるエンドリング５２との間をシールする。このプラリング６０には、従来の吸着筒の吸着材に替えて、吸着材の充填されたインサートカートリッジ５１を換装できるようにした際に内部に空間６６が形成されていた。
【０００９】
インサートカートリッジ５１は、図４に示されるように、吸着筒壁５５の内部に収容される。インサートカートリッジ５１のプラリング６０には、エンドリング５２が嵌め合わされる。このエンドリング５２には、吸着筒壁５５の底面側が嵌め込まれる。エンドリング５２は、インサートカートリッジ５１のシャフト５８にナット５９でネジ締められることで固定されている。吸着筒壁５５の上からインサートカートリッジ５１の上面側にスプリング５４が入れられて、エンドリング５３が吸着筒壁５５の上面側に嵌め込まれ、シャフト５８にナット６７がネジ締められることで上面側は固定されている。スプリング５４は、インサートカートリッジ５０のスライダー６５を下方に押圧して吸着材を押圧固定している。
【００１０】
【特許文献１】特開２００２−２８４３４号公報
【発明の開示】
【発明が解決しようとする課題】
【００１１】
従来の吸着筒５０では、インサートカートリッジ５１を交換するときに、吸着筒５０の上下のナット５９，６７を外す必要があるため、全長約１ｍの吸着筒５０を持ち上げて上下反転する必要がある。また、圧縮空気が通流を開始した際に、吸着筒５０の下方から上方に音速程度の圧縮空気が急激に通流することにより、インサートカートリッジ５１が圧縮空気に押されて浮き上がり、インサートカートリッジ５１のプラリング６０とエンドリング５２との間をシールするシール部材６１が離脱することがある。また、プラリング６０内部には空間６６があったため、圧縮空気通流開始時にエンドリング５２が歪んで破損することがある。
【００１２】
本発明はこのような課題を解決するためになされたもので、吸着筒から容易に交換することができるインサートカートリッジを提供することを目的とする。
【００１３】
また、圧縮空気の通流開始時のシールの離脱や破損を防止できるインサートカートリッジを提供することを目的とする。
【課題を解決するための手段】
【００１４】
前記の目的を達成するためになされた、特許請求の範囲の請求項１に記載されたインサートカートリッジは、吸着筒の下部の底面部から上部に向かって圧縮空気を通流させることで圧縮空気を除湿する据え置き型の吸着式除湿装置に装備される吸着筒内部に交換可能に装着されるインサートカートリッジにおいて、該インサートカートリッジが、その下部の底面部になる下部エンドリングと、該下部エンドリング上に設けられて該インサートカートリッジの側壁になり内側に吸着材が充てんされている壁部と、該下部エンドリングに固定されていて該インサートカートリッジの上部側まで突出するシャフトと、該壁部の上部の蓋になり該シャフトを軸として下方にスライド可能なスライダーとを備えており、該インサートカートリッジの該下部エンドリングに形成された鍔部分に、該吸着筒の筒状の外壁の下端が嵌め込まれる上向きに開口した溝が形成されていて、この溝に該下端が嵌め込まれて該下部エンドリングが該吸着筒の底面部を構成し、該インサートカートリッジの上側に該スライダーを下側に押圧するためのスプリングが入れられて、該吸着筒の上部の蓋となる上部エンドリングで該スプリングを縮ませながら、該上部エンドリングに形成された溝に該吸着筒の該外壁の上端を嵌め込んで、該上部エンドリングを貫通する該シャフトにナットをねじ締めすることで、該吸着筒に該インサートカートリッジが固定されることを特徴とする。
【発明の効果】
【００１５】
請求項１記載のインサートカートリッジによれば、インサートカートリッジの底面部に吸着筒の外壁が嵌め込まれて連結され、インサートカートリッジの上部に吸着筒との固定部が備えられている。これにより、吸着筒の上部の固定部を外すだけで吸着筒の外壁をインサートカートリッジから外すことができる。このため、従来の交換作業のように吸着筒を上下反転することなく、極めて容易にインサートカートリッジを交換することができる。したがって、交換作業の工数を半分以下に削減することができる。
【００１６】
また、インサートカートリッジは直接、吸着筒の外壁に嵌め込まれているため、インサートカートリッジが圧縮空気に押されて動くことが防止され、シールの脱落を防止できる。また、インサートカートリッジの底面部の内側に空間が存在しないため、従来の吸着筒の底部エンドリングのように破損しない。このため、装置寿命を長くすることができる。
【発明を実施するための好ましい形態】
【００１７】
以下、本発明の実施例を詳細に説明するが、本発明の範囲はこれらの実施例に限定されるものではない。
【００１８】
図１には、本発明を適用するインサートカートリッジの使用状態が一部断面で図示されている。
【００１９】
図１に吸着筒１０に装着された状態で示されているインサートカートリッジ１は、エンドリング２、壁部３、スライダー４、およびシャフト５を備えている。
【００２０】
図２に、エンドリング２を図１の底面側から見た斜視図が示されている。エンドリング２は、樹脂によって全体的に円形に形成されている。エンドリング２には、圧縮空気が通流可能な孔８、８・・・が形成されている。また、エンドリング２には、吸着筒壁１１との間をシールする環状のシール部材７が取り付けられている。さらに、エンドリング２には、吸着材が漏れ出ないように円形の金属メッシュ網６がネジで取り付けられる（図２では非図示。図１参照）。
【００２１】
図１に示されるように、エンドリング２には、壁部３が嵌めこまれて固定されている。この壁部３は、ペット樹脂を丸めて円筒形に溶着して形成されている。エンドリング２の中心部には金属製のシャフト５がナット２０，２１で固定されている。シャフト５は、インサートカートリッジ１の中央を貫通してエンドリング２の下方にネジ止め可能に突出し、インサートカートリッジ１の上方では、スプリング５４およびエンドリング５３を貫通してエンドリング５３をネジ止め可能に突出する長さで形成されている。
【００２２】
壁部３の内部には吸着材が充填されて、壁部３の上部でスライダー４で蓋をされている。スライダー４は、樹脂製で、壁部３の内径よりも若干小径に形成されて、シャフト５を軸として下方にスライド可能に取り付けられている。
【００２３】
吸着筒１０は、このインサートカートリッジ１の他に、アルミ製で円筒形の吸着筒１０の外壁を形成する吸着筒壁１１、インサートカートリッジ１のスライダー４を下方に押圧して吸着材を押圧固定するスプリング５４、吸着筒壁１１の上端に嵌め込まれて吸着筒１０の上面を形成する円形のエンドリング５３を備えている。エンドリング５３には、エンドリング２と同様な圧縮空気が通流可能な複数の孔が形成されている。
【００２４】
インサートカートリッジ１は、次のように吸着筒１０に装着される。
【００２５】
まず、インサートカートリッジ１の上方から、吸着筒壁１１を覆い被せてエンドリング２に嵌めこむ。次に、吸着筒壁１１の上方からスプリング５４を入れる。続いてスプリング５４を縮ませながらエンドリング５３を吸着筒壁１１の上端にはめ込み、エンドリング５３の中心部に突出するインサートカートリッジのシャフト５にナット６７をネジ締めすることで固定する。この作業に吸着筒１０の上下の反転は不要であり、極めて容易である。
【００２６】
吸着筒１０からインサートカートリッジ１０を取り外すときは、装着の順番と逆に行う。つまり、吸着筒１０の上部のナット６７を外して、エンドリング５３、スプリング５４を取り外して、吸着筒壁１１を上方に引き抜くことでインサートカートリッジ１が取り外せる。この作業にも吸着筒１０の上下の反転は不要であり、極めて容易である。
【００２７】
次に、図３に示されるように、吸着筒１０が８本装備された吸着式除湿装置での除湿動作について説明する。
【００２８】
空気コンプレッサーから圧縮空気の圧送の開始時には、音速程度の高速の圧縮空気が吸着筒１０の底面部（図１の下方）から上方に向かって瞬間的に通流する。この圧縮空気によってエンドリング２が上方に押されるが、エンドリング２は吸着筒壁１１に直接嵌め込まれているため、吸着筒壁１１に対してずれない。このため、シール部材７は脱落しない。また、エンドリング２は、スプリング５４によって付勢されている吸着材６４と接しているため、上方に歪まず、破損しない。
【００２９】
圧縮空気は、インサートカートリッジ１内を通流する際に、吸着材９によって除湿されてエンドリング５３を通って出力される。
【００３０】
このように、インサートカートリッジ１の底面部であるエンドリング２が吸着筒１０の底面部を構成し、エンドリング２に吸着筒壁１１が嵌め込まれて連結され、インサートカートリッジ１の上部に突出したシャフト５（本発明における固定部）で吸着筒１０（エンドリング５３）とネジ締め固定されている。これにより、吸着筒１０の上部のナット６７をシャフト５から外すだけで吸着筒壁１１が上方に引き抜くことができ、極めて容易にインサートカートリッジ１を交換することができる。このため、交換作業の工数を半分以下に削減することができる。
【００３１】
また、インサートカートリッジ１のエンドリング２が直接、吸着筒壁１１に嵌め込まれているため、インサートカートリッジ１が下方から上方に圧縮空気に押されて動くことが防止され、シール７の脱落を防止できる。また、インサートカートリッジ１のエンドリング２が吸着筒１０の底面部を構成して、エンドリング２の内側に空間が存在しないため、従来の吸着筒５０のエンドリング５２のように圧縮空気の通流開始時の衝撃で歪んで破損することが防止される。このため、装置寿命を長くすることができる。
【図面の簡単な説明】
【００３２】
【図１】本発明を適用するインサートカートリッジの使用状態を示す断面図である。
【図２】本発明を適用するインサートカートリッジの底面側のエンドリングを下方から見た斜視図である。
【図３】吸着式除湿装置の斜視図である。
【図４】従来のインサートカートリッジの使用状態を示す断面図である。
【符号の説明】
【００３３】
１,５１はインサートカートリッジ、２,５２,５３はエンドリング、３,６３は壁部、４,６５はスライダー、５,５８はシャフト、６は金属メッシュ網、７,６１はシール部材、８は孔、１０,５０は吸着筒、１１は吸着筒壁、２０,２１,５９,６７はナット、５４はスプリング、５５は吸着筒壁、６０はプラリング、６４は吸着材、６６は空間である。
【図１】
0005120542.tif 000002
【図２】
0005120542.tif 000003
【図３】
0005120542.tif 000004
【図４】
0005120542.tif 000005